(57)【要約】      （修正有）【課題】トイレットペーパーの先端を一目で見つけることができ、ペーパーの先端がつまみやすく、ペーパーを取り出しやすく、ペーパーカットが片手で簡単にでき、ペーパーの交換も片手で簡単にできるストッカーホルダーとストッカーを合体させたストッカー付トイレットペーパーホルダー。【解決手段】ロールペーパー支持軸２とカバー支持軸３を左右両方で固定しないで本体片側だけで固定する、カバー１は上下に動く。固定した反対側の空間からロールペーパーを横から挿入し、カバーの後からカバー上部に通す。カバーの上でロールペーパーを２重、３重にしてカバー先端のペーパー刀歯５により軽く押して下げるだけでカットされる。ロールペーパー本体を取り付ける反対側に予備のロールペーパーを１個から５個位まで複数設けられるロールペーパーストック軸６を設ける。【選択図】図１
0003116367.tif 000002
【実用新案登録請求の範囲】
【請求項１】
ロールペーパー支持軸（２）とカバー支持軸（３）を本体（４）に片側だけで固定させたホルダーで（カバーは上下に動く）ロールペーパー支持軸（２）にロールペーパーを固定側の反対の空間から挿入してロールペーパーを押えカットするカバー（１）の後ろからカバー上部にペーパーを引き出してカバー先端の切歯（５）により切断するホルダー
【請求項２】
本体（４）でロールペーパーを取付ける反対側に予備のロールペーパーを１個から５個位まで複数ストックできるロールペーパーストック軸（６）を設けたストッカーを〔請求項１〕と合体させたホルダー
【考案の詳細な説明】
【技術分野】
【０００１】トイレットペーバーホルダー
トイレットペーバーストッカー
ペーバータオルホルダー
【背景技術】
【０００２】トイレ使用時、ペーバーの先端はカバーの下にあり片手でカバーをもちあげもう一方の手でペーパーをつまみ引っぱり出しカバーを手で押えてカットして使用していました【０００３】カバーをもちあげても先端がわかりずらく取出しにくい事もよくあります【０００４】取り出したペーパーを２重．３重にするのも思う様にいかなかった【０００５】ミシン目が入っていてもミシン目がよくわからなくてどこで切れるかもわからない【０００６】ペーパーホルダーの中のペーパーが少ない時予備のペーパーを探して回りをキョロキョロしてました。【０００７】ロールペーパーの交換時ロールペーパー支持軸が思う様にセットできない、セットしずらい場合もありました。
【考案の開示】
【考案が解決しようとする課題】
【０００８】従来のトイレットペーパーホルダーではペーパーの先端がカバーの中にあり全く見えません。
片手でカバーをもちあげロールを少し回しペーパーの先端を見つけ、つまみ取り出すのがめんどうでした。
ペーパーの先端を見つけにくく、つかみにくく、さらに片手でカバーを押し、ペーパーをカットしていました。【０００９】トイレに入った時まず見るのはペーパーがあるかないかまず確認します。ペーパーホルダーには充分あるかホルダーによってはカバーをもちあげて確認していました。【００１０】ロールペーパーの交換時、なかなか支持軸をセットしにくい物もあり、いらいらしていました。【００１１】まとめて追加すると次の様になります。
○  予備のロールペーパーが一目でわからないか
○  ペーパーの先端がすぐわかること
○  ペーパーの先端がつかみやすいこと、引っぱり出しやすい事。
○  ペーパーを２重．３重に簡単にできること
○  片手でペーパーをカットできること
○  片手で簡単にロールペーパーの交換ができること
○  次に使う人にも簡単に使えること
○  すぐわかる所に予備のロールペーパーを置けないか
【課題を解決するための手段】
【００１２】ロールペーパー支持軸とロールペーパーカバーの支持軸が片側だけで本体に固定する構造（カバーは上下に動く）【００１３】ロールペーパーを固定側と反対の空間からカバーを上げ支持軸に挿入して、カバー後ろからカバー上部にペーパーを引っぱり出す構造【００１４】引っぱり出したペーパーはカバーの上で２重．３重にできカバー自体がロールペーパーを押し回転しにくくし、カバー先端にあるカッタ歯によりペーパーを軽く押し下げるだけでカットできる構造【００１５】カットした後もカバー上部にペーパーが残る構造【００１６】トイレットペーパーのストックが一目で確認できる様ロールペーパー支持軸の反対側にＬ字型又は逆Ｔ字型の軸を設けそこにロールペーパー１個〜３個位ストックできる構造【００１７】ペーパーがなくなった時カバーを上げ、芯を抜きとり、ストックからロールペーパーを取り出し、支持軸に差し込みカバー後ろからカバー上部に引き使用する。さらに使用後もカバー上部にはペーパーの一部残る構造【００１８】使用法には２つの方法がありザラザラした物、ペーパーが２重ダブルの物などには  第１図の様にペーパーを手前に出してそのままカバー後ろからカバー上部に出す方法
表面がつるつるした物、シングル紙の物などには  第２図の様にペーパーを後ろに出してカバー後ろからカバー上部に出す方法でこの２つの使用法により全てのトイレットペーパーに対応できる【００１９】この構造を大きく丈夫にするとキッチンペーパータオルホルダー大型アルミホイルホルダーにも使用できる。
【考案の効果】
【００２０】まとめてわかりやすく書き出します。
○  ペーパーの先端がカバーの上に残っているので一目でわかる
○  ペーパーの先端がつまみやすい、引っぱり出しやすい
○  カバーの上で２重．３重に簡単に重ねられる
○  カバー自体がロールペーパーを押える為、カバー先端のカッタ歯で軽く下げるだけでカットできる
○  ミシン目があれば見やすくミシン目でカットできる
○  使った後もカバーの上にペーパーが残るので次に使用する人も同じ様に簡単である
○  一目で予備のロールペーパーがあるか確認でき安心できます
○  ペーパーがなくなっても芯を抜きストッカーからロールペーパーを横から挿入、簡単である
○  ロールペーパーのストックは軸を長くすれば１〜５個位までストックでき一目でわかる
○  ペーパーホルダーを２つ．３つとならべて設置しなくてよくなります。
○  以上効果の動作は片手で（しかも指２本で）できます。
○  本考案のホルダーを大型化すれば、キッチンペーパーホルダーにもなります。
【実施例】
【００２１】従来のホルダーを本考案のホルダーに交換すれば安心して簡単にトイレを使用できます。【００２２】本考案の試作品ではすべての動作が指２本で簡単にできます。
【図面の簡単な説明】
【００２３】
【図１】  斜面図
【図２】  斜面図
【図３】  正面図
【符号の説明】
【００２４】  １．カバー
２．ロールペーパー支持軸
３．カバー支持軸
４．ホルダー本体
５．ペーパー刀歯
６．ロールペーパーストック軸
【図１】
0003116367.tif 000003
【図２】
0003116367.tif 000004
【図３】
0003116367.tif 000005
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
ロールペーパー支持軸（２）とカバー支持軸（３）をカバーは上下に動くように本体（４）に片側だけで固定させたホルダーでロールペーパー支持軸（２）にロールペーパーを固定側の反対の空間から挿入してロールペーパーを押えカットするカバー（１）の後ろからカバー上部にペーパーを引き出してカバー先端の切歯（５）により切断するホルダー
【請求項２】
本体（４）でロールペーパーを取付ける反対側に予備のロールペーパーを１個から５個位まで複数ストックできるロールペーパーストック軸（６）を設けたストッカーを更に設けたことを特徴とする請求項１に記載のホルダー